(57)【要約】【課題】  ペン先又はペン先ホルダーの組付け時、インキや液栓の注入時、遠心脱泡処理等の製造時等に生じる不具合を解消できる筆記具を提供する。【解決手段】  両端を開口するインキ収容管２の内面に、ペン先４又はペン先４を保持するホルダー３を取り付けてなる筆記具１であって、前記インキ収容管２の内面に、インキ収容部２１と、該インキ収容部２１の両端に接続される取付部２２とが形成される。前記両端の取付部２２が互いに等しい形状である。前記両端の取付部２２の内径がインキ収容部２１の内径より大きく構成される。【選択図】  図１
2005313404.tif 000002
【特許請求の範囲】
【請求項１】
両端を開口するインキ収容管の内面に、ペン先又はペン先を保持するホルダーが取り付けられる取付部を設けてなる筆記具であって、前記インキ収容管の内面に、インキ収容部と、該インキ収容部の両端に接続される取付部とが形成されたことを特徴とする筆記具。
【請求項２】
前記両端の取付部が互いに等しい形状である請求項１記載の筆記具。
【請求項３】
前記両端の取付部が互いに異なる形状である請求項１記載の筆記具。
【請求項４】
前記両端の取付部の内径がインキ収容部の内径より大きい請求項１乃至３のいずれかに記載の筆記具。
【請求項５】
前記インキ収容管が射出成形により成形される請求項４記載の筆記具。
【請求項６】
前記インキ収容部と両端の取付部との接続部分がテーパー状である請求項１乃至５のいずれかに記載の筆記具。
【発明の詳細な説明】
【技術分野】
【０００１】
本発明は、筆記具に関する。更には、インキ収容管に、ペン先又はペン先を保持するホルダーを取り付けてなる筆記具に関する。
【背景技術】
【０００２】
従来より、インキを収容するインキ収容管に、ボールペンチップを保持するホルダーを圧入して嵌合するボールペンにおいては、インキ収容管の内径が、前方開口部（ホルダー接続部分）から後方開口部に向かって小さくなるもの（テーパー孔）が開示されている（例えば、特許文献１）。
【特許文献１】実開平７−２１３８７号の明細書及び図面
【発明の開示】
【発明が解決しようとする課題】
【０００３】
前記インキ収容管は、筆記時におけるインキの流動を阻害することなくインキの逆流方向に抵抗を持たせて逆流防止効果を付与するものであるが、前記効果を発現するために、ホルダーを接続する側が大径となるようにインキ収容管の方向を揃えてから組み付ける必要がある。また、後方開口部の内径が狭く、後端に充分な空間が無いため、遠心脱泡処理を行った際にインキや液栓の洩れが生じたり、インキや液栓の注入時に注入用ノズルの位置出しに高い精度を有するものであった。
【０００４】
本発明は、前記従来の問題点を解決するものであって、ペン先やペン先ホルダーの組付け時、インキや液栓の注入時、遠心脱泡処理等の製造時に生じる不具合を解消できる筆記具を提供するものである。
【課題を解決するための手段】
【０００５】
本発明は、両端を開口するインキ収容管の内面に、ペン先又はペン先を保持するホルダーが取り付けられる取付部を設けてなる筆記具であって、前記インキ収容管の内面に、インキ収容部と、該インキ収容部の両端に接続される取付部とからなることを要件とする。更に、前記両端の取付部が互いに等しい形状であることを要件とする。更に、前記両端の取付部が互いに異なる形状であることを要件とする。更に、前記取付部の内径がインキ収容部の内径より大きいことを要件とする。更に、前記インキ収容管が射出成形により成形されることを要件とする。更には、前記インキ収容部と取付部との接続部分がテーパー状であることを要件とする。
尚、本発明において、「前」とはペン先側を指し、「後」とはインキ収容管側を指す。
【発明の効果】
【０００６】
本発明の請求項１により、ペン先やホルダーを確実に保持することができ、その状態で、インキ収容管の全長を変えることなく容易にインキ収容部の容量を変化させることができる、応用性の高いインキ収容管を用いた筆記具を提供できる。
【０００７】
本発明の請求項２により、ペン先又はホルダー組付時におけるインキ収容管の方向性がなくなり、組立性が向上する。
【０００８】
本発明の請求項３により、１つのインキ収容管に対して２種類のペン先やホルダーを取り付けることが可能となり、部材の共通化を図ることができる。
【０００９】
本発明の請求項４により、細径のインキ収容管を用いた場合にもペン先やホルダーを確実に保持できると共に、遠心脱泡処理を行った際にインキや液栓が洩れることなく製造できる。また、インキや液栓の注入時に注入用ノズルの位置出しに際して高い精度を必要としない。
【００１０】
本発明の請求項５により、二次的な加工を必要とせず、容易にインキ収容管が成形できる。
【００１１】
本発明の請求項６により、筆記時におけるペン先へのインキ供給をスムーズに行うことができると共に、製造時には、遠心脱泡によりインキ収容管内の空気が確実に排出でき、後方から注入用ノズルを的確に挿入できる。
【発明を実施するための最良の形態】
【００１２】
本発明は、両端を開口するインキ収容管内面に、ペン先を直接、又はホルダーを介して嵌合してなる筆記具に適用されるものであって、前記インキ収容管が、インキ収容部と、該インキ収容部の両端に接続される取付部とから構成されるものである。
前記インキ収容管は、樹脂や金属等の比較的硬質な材料により構成され、射出成形、押し出し成形、成形後の切削等の手段を用いて成形される。
前記インキ収容管の両端に、取付部（ペン先取付部及び／又はホルダー取付部）を設けることで、ペン先やホルダーを確実に保持できるものとなる。また、インキ収容部の内径と異なる内径の取付部を接続させた場合においては、ペン先やホルダーを確実に取り付けた状態でインキ収容管の全長を変化させることなく、インキ収容部の容量を増減させることが可能となる。その際、取付部の形状を種々の構成とすることで、応用性の高いものとなる。
前記構成として、両端の取付部の形状を等しくした場合、ペン先やホルダーの取付時においてインキ収容管の方向を揃える必要がなくなるので、組立性が向上する。
また、前記構成として両端の取付部の形状を異なるものとした場合、形状や大きさの異なるペン先やホルダーに対して一本のインキ収容管で対応できるので、部材の共通化を図ることができる。
前記取付部の内面には、環状等の嵌合突起や嵌合溝を設けることによって嵌合力を高めることも可能である。
【００１３】
更に、インキ収容管の両端に設けられる取付部の内径をインキ収容部の内径より大きく形成することで、後方に充分なスペースができ、製造時に遠心脱泡処理を行った際にもインキや液栓が洩れることなく製造できる。また、後方開口部分が大きくなるので、インキや液栓を後方から注入する際に注入用ノズルの位置出しに余裕ができ、高い精度を必要とすることなくノズルを挿入できる。更に、細径のインキ収容管を用いた場合であっても、ペン先やホルダーを確実に保持できると共に、インキ収容部に充分な肉厚を保つことができ、壁面からの透過によるインキの蒸発を抑制できる。
その際、インキ収容管は射出成形により成形することが好ましい。射出成形を用いることで、取付部の内径をインキ収容部の内径より大きく形成するために二次的な加工を施す必要がなくなると共に、小径のインキ収容部の両端に大径の接続部が形成されるため、小径部分の長さ（インキ収容部の全長）が短くなり、コアピンに過度の負担を掛けて破損することがなくなるので、インキ収容管を容易に成形できる。
【００１４】
前記インキ収容部と取付部との接続部分は、テーパー状に形成することが好ましい。それにより、筆記によるインキの消耗に伴って、前方へのインキの流動を安定して行うことができるので、インキ収容部内のインキを確実にペン先へ供給できる。また、製造時において、ペン先又はホルダーを取り付けた方向（前方）に形成される接続部分では、遠心処理を施した際に空気が溜まることなく外部に排出できる。更に、ペン先又はホルダーを取り付けていない方向（後方）に形成される接続部分では、インキや液栓を注入するための注入ノズルをインキ収容管内に挿入する際にノズルガイドとしての役割を果たし、インキ収容部内にインキや液栓を確実に注入できる。
【００１５】
前記取付部に取り付けられるホルダーは、前方にペン先を保持するための保持部を有すると共に、後方にインキ収容管の取付部（ホルダー取付部）と嵌合する嵌合部を有する接続用部材であり、樹脂成形物であることが好ましい。前記ホルダーはインキ収容管に設けられたホルダー取付部に対して、嵌合部を圧入嵌合、ネジ嵌合等の手段により取り付けられる。また、前記保持部には、ペン先を直接接続してもよいし、他の接続部材を介して接続することもできる。
【００１６】
前記インキ収容管は、別途設けられる軸筒内に収容されるレフィール形態や、直接軸筒として使用できる形態として構成される。直接軸筒として使用する場合、外周面に滑り止め用の溝部や、グリップ部材を設けることもできる。
【００１７】
前記レフィール形態としたインキ収容管は、キャップを備えた軸筒（所謂、キャップ式筆記具）や、後端部を押圧することで回転カム等によりペン先が繰り出される出没式筆記具、更には、複数のレフィールやシャープペンシルを収容し、回転又はスライド操作により、収容するいずれかのペン先を突出させる複式筆記具等に収容され実用に供される。
【００１８】
前記取付部又はホルダーに取り付けられるペン先の構造は特に限定されるものではなく、先端部にボールを抱持したボールペンチップ、繊維チップ、フェルトチップ、プラスチックチップ等が使用できる。
【００１９】
前記ボールペンチップとしては、金属製のパイプの先端近傍を外方より内方に押圧変形させ、形成したボール受け座を備えたボール抱持部にボールを抱持してなるチップ、或いは、金属材料をドリル等による切削加工により形成したボール抱持部にボールを抱持してなるチップ等を適用できる。更に、前記チップに抱持するボールをバネ体により前方に付勢させたものも適用できる。
また、前記ボールは、超硬合金、ステンレス鋼、ルビー、セラミック等からなるものが適用できる。
【００２０】
前記インキ収容管内に収容されるインキとしては、水性インキ又は油性インキのいずれであってもよい。また、前記インキ中に含まれる着色剤としては、酸性染料、塩基性染料、直接染料、一般顔料、蛍光顔料、アルミニウム等の金属粉、パール顔料、酸化チタン等の白色顔料、着色剤を樹脂で被覆したマイクロカプセル顔料、可逆熱変色性顔料が挙げられる。
更に、インキ中に剪断減粘性付与剤を添加することによりチクソトロピー性を付与することもできる。
【００２１】
前記インキ収容部内のインキの後端には、必要に応じて液栓、固体栓等のインキ追従体をインキ後端と接触するように配設することもできる。前記インキ追従体のうち、液栓としては、高粘度流体からなり、難揮発性液体、或いは該難揮発性液体に適宜増粘剤を添加したものが使用でき、インキに対して比較的高い粘度と表面張力を有すると共に、インキの比重より低い比重を有するものが好適に用いられる。また、固体栓としては、樹脂成形物からなるものが好適に用いられ、液栓と併用することも可能である。
【実施例】
【００２２】
実施例１
本発明の実施例１を以下の図面に従って説明する。
図１の筆記具１は、インキ収容部２１にインキを収容する、軸筒を兼ねたインキ収容管２と、該インキ収容管２のホルダー取付部（取付部）２２に嵌合する嵌合部３１とボールペンチップ（ペン先）４を保持する保持部３２とを備えたホルダー３とからなる。
【００２３】
前記インキ収容管２は、軸筒としての強度を有する肉厚で射出成形により形成された、前後方向に等しい形状に開口するパイプ状樹脂成形部材であり、インキを収容するインキ収容部２１と、該インキ収容部２１の前後方向両端に同形状で設けられるホルダー取付部２２とから構成され、組立時に取付部２２の方向を揃える必要がない形状となっている。また、前記インキ収容部２１の内径Ｌ１は、ホルダー取付部２２の内径Ｌ２よりも小さくなるように成形されており（Ｌ１＜Ｌ２）、更にインキ収容部２１とホルダー取付部２２との接続部分２３はテーパー状を成している（図２）。
インキ収容部２１の内径Ｌ１と、ホルダー取付部２２の内径Ｌ２とを前記の関係とすることで、ホルダー３を確実に保持した状態で、インキ収容管２の全長を変更することなくインキ量の調整が可能となるため、過剰量のインキを内蔵することにより生じるチップの磨耗や、ボールペンチップの座磨耗によるボール落ち等を防止できる。特に、ボールの直径が小さいボールペンの場合、インキ消費量が少ないので、ボール落ちを防止する目的で、ボールやチップ全体に与える負荷を低減する目的で、インキ量を調整することが好ましい。
【００２４】
前記インキ収容部２１には、剪断減粘性を有するインキ６及びインキ追従体（液栓）７が内蔵されている。
製造時において、前記インキ６及び液栓７は、後方からインキ収容部２１内に注入ノズルを挿入して注入されるが、その際に注入ノズルの先端が大径のホルダー取付部２２から挿入され、テーパー部２３を経て小径のインキ収容部２１内に至るので、小径のインキ収容部２１へもスムーズに注入ノズルを挿入でき、インキや液栓を的確な位置に注入できる。
前記インキ収容管２は、本実施例では直接軸筒として使用されるが、レフィール形態としても使用できる。その際、収容される筆記具の形態に合わせて、種々の材質、形状、大きさで構成できる。
【００２５】
前記ホルダー取付部２２には、樹脂成形体からなるホルダー３が接続されている。前記ホルダー３は、軸方向に貫通するインキ流通路が内部に形成されると共に、接続部３１及び保持部３２を備えている。更に、ホルダー３の内部（インキ流通路）には、縮径部を設けることが可能であり、これによりペン先側のインキの逆流を抑制することもできる。
また、ホルダー３が接続されていない側（後方）のホルダー取付部２２には、通気孔を有する尾栓５が圧入嵌合されている。
【００２６】
前記接続部３１は、ホルダー３の後方に位置し、外径がホルダー取付部２２の内径Ｌ２より若干大きく設定された薄肉円筒状であり、ホルダー取付部２２に圧入嵌合されている。
【００２７】
前記保持部３２は、ホルダー３の前方に位置し、塊状の金属（ブランクス）を切削してボールハウス、インキ溝、インキ誘導孔を形成し、前記ボールハウスに超硬合金からなるボールを収容したボールペンチップ４の後方が圧入嵌合され保持している。前記ボールペンチップとしては、ステンレス製のパイプの先端近傍を外方より内方に押圧変形させ形成したボール受け座を備えたボール抱持部に、超硬合金からなるボールを抱持してなるものを用いたり、内部にボールを前方に押圧するスプリングを配置することもできる。
【００２８】
実施例２
筆記具１（図示せず）は、インキ収容管２の前方に形成されるホルダー取付部２２の内径Ｌ３（図８）が、後方に形成されるホルダー取付部２２の内径Ｌ２（図７）及び、インキ収容部２１の内径Ｌ１（図６）より小さくなる様に（即ち、Ｌ１＜Ｌ３＜Ｌ２）形成し（図５）、ステンレス製のパイプの先端近傍を外方より内方に押圧変形させ形成したボール受け座を備えたボール抱持部に、超硬合金からなるボールを抱持してなるペン先４（所謂パイプチップ）を保持したホルダー３の接続部３１の外径をＬ３より若干大きく設定した以外は実施例１と同様の構成からなる。
前記筆記具１は、インキ収容管２の後方に実施例１のホルダー３を、インキ収容管２の前方に実施例１のホルダー３とは接続部３１の大きさが異なるホルダーやペン先を確実に保持できるものであり、異種形状のホルダーやペン先を一本のインキ収容管２に取り付けることができるので、部材の共通化を図ることが可能なものとなった。
【図面の簡単な説明】
【００２９】
【図１】本発明の筆記具の一実施例を示す縦断面図である。
【図２】図１のインキ収容管を示す縦断面図である。
【図３】図２のＡ−Ａ拡大断面図である。
【図４】図２のＢ−Ｂ拡大断面図である。
【図５】本発明のインキ収容管の一実施例を示す縦断面図である。
【図６】図５のＡ−Ａ拡大断面図である。
【図７】図５のＢ−Ｂ拡大断面図である。
【図８】図５のＣ−Ｃ拡大断面図である。
【符号の説明】
【００３０】
１  筆記具（ボールペン）
２  インキ収容管
２１  インキ収容部
２２  ホルダー取付部（取付部）
２３  接続部分
３  ホルダー
３１  接続部
３２  保持部
４  ボールペンチップ（ペン先）
５  尾栓
６  インキ
７  インキ追従体
Ｌ１  インキ収容部の内径
Ｌ２  ホルダー取付部の内径
Ｌ３  ホルダー取付部の内径
【図１】
2005313404.tif 000003
【図２】
2005313404.tif 000004
【図３】
2005313404.tif 000005
【図４】
2005313404.tif 000006
【図５】
2005313404.tif 000007
【図６】
2005313404.tif 000008
【図７】
2005313404.tif 000009
【図８】
2005313404.tif 000010